(57)【要約】【課題】容積を減少可能なヘルメットにおいて、より利便性・安全性の高いヘルメットを提供すること。【解決手段】旋回式ヘルメットであって、ヘルメット本体を上下に二分割してなる、基部および可動部と、水平方向を回転軸方向として、平行に第１の回転軸および第２の回転軸を配してなる、旋回部と、を少なくとも具備し、第１の回転軸は可動部に連結してあり、第２の回転軸は基部に連結してあり、旋回部でもって可動部を回転させて、可動部の一部または全部を非反転姿勢の状態で基部の下側から基部の内部に収容可能に構成したことを特徴とする。【選択図】図１
2018115407.tif 000002
【特許請求の範囲】
【請求項１】
旋回式ヘルメットであって、
ヘルメット本体を上下に二分割してなる、基部および可動部と、
水平方向を回転軸方向として、平行に第１の回転軸および第２の回転軸を配してなる、旋回部と、を少なくとも具備し、
第１の回転軸は可動部に連結してあり、
第２の回転軸は基部に連結してあり、
旋回部でもって可動部を回転させて、可動部の一部または全部を非反転姿勢の状態で基部の下側から基部の内部に収容可能に構成したことを特徴とする、
旋回式ヘルメット。
【請求項２】
基部の上部に、外周側を凹部とする段差を設け、
可動部の下縁を、前記凹部に嵌合して基部と可動部とを連結することを特徴とする、
請求項１に記載の旋回式ヘルメット。
【発明の詳細な説明】
【技術分野】
【０００１】
本発明は、作業用、運転用、スポーツ用、軍用、防災用などのヘルメットに関し、より詳しくは、不使用時にヘルメットの一部を旋回させることによって、ヘルメットの容積を減少することが可能なヘルメットに関する。
【背景技術】
【０００２】
不使用時に、ヘルメットの容積を減少（減容）可能な機構を備えたヘルメットとして、分離式、反転式、折り畳み式など、種々の構造が開発されている。
例えば、特許文献１に記載のヘルメットは分離式のヘルメットであり、ヘルメット本体を上下方向に二分割して、上側のキャップを下側の透明防護体に係合することで一体化可能とし、不使用時には、キャップを上方から押圧することで透明防護体との係合状態を解除し、透明防護体の内部に設けた吊設体でもってキャップを吊設した状態で、透明防護体内へと収容する構造を呈している。
また、特許文献２の記載のヘルメットは反転式のヘルメットであり、ヘルメット本体を上下方向に二分割して、上側のドーム状殻部材を、下側の環状殻部材の左右方向に伸びる枢軸を介して反転可能に連結する構造を呈している。
【先行技術文献】
【特許文献】
【０００３】
【特許文献１】特開２００４−０８４１４５号公報
【特許文献２】特許第５９０８９２９号公報
【発明の概要】
【発明が解決しようとする課題】
【０００４】
しかし、特許文献１に係るヘルメットでは、以下に記載する問題のうち、少なくとも何れか１つの問題を有する。
（１）上方からの押圧力によってキャップと透明防護体との係合状態が解除されるため、落下物などの衝撃による防護機能に難がある。
（２）係合機構が甘くなると、キャップが落下するため、使用感が悪い。
（３）雨などの際に、キャップと透明防護体との係合箇所に雨が溜まりやすく、係合箇所の隙間を通ってヘルメット内部に水が漏れてしまう。
（４）吊設体によってキャップと透明防護体とを繋いでいるため、吊設体が破断して各部材が分かれてしまうと、部材の行方がわからなくなってしまう。
【０００５】
また、特許文献２に係るヘルメットでは、以下に記載する問題のうち、少なくとも何れか１つの問題を有する。
（５）枢軸を長穴内でスライドさせてドーム状殻部材と環状殻部材との相対位置を偏移させることで、ドーム状殻部材の反転動作を実現しているため、落下物などの衝撃による上方からの押圧力によってドーム状殻部材がスライドして反転してしまう可能性があり、非反転状態で、ドーム状殻部材を位置決めするロック手段が必須となる。
（６）ドーム状殻部材と環状殻部材との相対位置を偏移させるためにドーム状殻部材と環状殻部材との接触面を平坦にする必要があり、雨などの際に、ドーム状殻部材と環状殻部材と間の隙間を通ってヘルメット内部に水が漏れやすくなる。
（７）ドーム状殻部材と環状殻部材との相対位置を偏移させることで、ドーム状殻部材の反転動作を実現しているため、非反転状態においてドーム状殻部材の前後揺動によって生じる隙間からの水漏れを回避するには、前記（５）に示すロック手段が必須となる。
【０００６】
以上の通り、本願発明は、容積を減少可能なヘルメットにおいて、より利便性・安全性の高いヘルメットを提供することを目的の一つとする。
【課題を解決するための手段】
【０００７】
上記課題を解決すべくなされた本願の第１発明は、旋回式ヘルメットであって、ヘルメット本体を上下に二分割してなる、基部および可動部と、水平方向を回転軸方向として、平行に第１の回転軸および第２の回転軸を配してなる、旋回部と、を少なくとも具備し、第１の回転軸は可動部に連結してあり、第２の回転軸は基部に連結してあり、旋回部でもって可動部を回転させて、可動部の一部または全部を非反転姿勢の状態で基部の下側から基部の内部に収容可能に構成したことを特徴とする。
また、本願の第２発明は、前記第１発明において、基部の上部に、外周側を凹部とする段差を設け、可動部の下縁を、前記凹部に嵌合して基部と可動部とを連結することを特徴とする。
【発明の効果】
【０００８】
本願発明によれば、以下に記載する効果のうち、少なくとも何れか１つの効果を有する。
（１）ヘルメットの外表面に連続性を持たせることができる。
基部と可動部との間に介設する旋回部でもって、基部と可動部の上下関係を入れ換えることができる。
よって、基部と可動部とが完全に独立する分離式ヘルメットでなければ実現できなかったヘルメット外表面の連続性の確保を実現できる。
ヘルメット外表面の連続性を確保できると、使用状態において、基部と可動部の連結部分で外表面に段差や大きな隙間が生じることがなくなる。
（２）基部と可動部との間の隙間からの浸水がしにくい。
基部と可動部との間の隙間になる連結面が略水平面を含むため、ヘルメットの使用時に、水が隙間に侵入しにくい。
（３）ヘルメット内部にまで浸水する恐れを抑制できる。
基部に設けた段差面により、ヘルメット内部にまで浸水することがない。
（４）可動部の沈み込みを防止できる。
基部に設けた凸部を、可動部の下縁と張出部とで挟み込むため、上方からの押圧力に対して、可動部が開いて下方に沈み込むことがない。
【図面の簡単な説明】
【０００９】
【図１】本発明に係る旋回式ヘルメットを示す概略斜視図。
【図２】使用状態の旋回式ヘルメットを示す背面側概略図。
【図３】使用状態の旋回式ヘルメットを示す正面側概略図。
【図４】収納後の旋回式ヘルメットを示す概略斜視図。
【図５】旋回前後の旋回式ヘルメットの対比図。
【発明を実施するための形態】
【００１０】
以下、図面を参照しながら、本発明の実施例について説明する。
【実施例】
【００１１】
＜１＞全体構成（図１）
本発明に係る旋回式ヘルメットは、ヘルメット本体を上下に二分割してなる、基部１０および可動部２０と、基部１０と可動部２０とを繋ぐ旋回部３０と、を少なくとも具備して構成する。
以下、各構成要素の詳細について説明する。
【００１２】
＜２＞基部（図１）
基部１０は、上下に分割したヘルメット本体の下側部分に相当する部材である。
基部１０には、汗止め、あごひも、ヘッドバンド、インナーキャップなどの公知の内装部品を脱着自在に適宜設けてあるが、各図面での図示は省略している。
【００１３】
＜３＞可動部（図１）
可動部２０は、上下に分割したヘルメット本体の上側部分に相当する部材である。
本実施例では、可動部２０が略椀型の形状を呈しており、基部１０の上部に、可動部２０の下部を接続することで、両者が一体化されたヘルメット本体を構築している。
【００１４】
＜３．１＞基部との分割位置（図１）
なお、基部１０と可動部２０とに分割するヘルメット本体の分割線は、後述する可動部２０の旋回動作後に、基部１０の内部へと可動部２０の一部または全部を収容するのに支障が無い範囲で適宜設定すればよい。
【００１５】
＜４＞基部と可動部との連結態様（図１）
本実施例における基部１０と可動部２０との連結態様について、以下説明する。
【００１６】
＜４．１＞インロー嵌合による固定（図１）
図１に示すように、本実施例に係る旋回式ヘルメットでは、基部１０と可動部２０との連結箇所にインロー嵌合を用いることで止水性を確保している。
このインロー嵌合は、前記基部１０の上部においてヘルメットの外周側に設けた凹部１１に、前記可動部２０の下縁を嵌合するよう構成している。
【００１７】
このインロー嵌合により、凹部１１と、凹部１１より高い位置を端面とする凸部１２との間には段差１３が生じる。
ヘルメットの外周側へと通ずる隙間から水が浸入したとしても、この水は前記段差によって遮られるため、ヘルメットを傾斜させない限り、ヘルメットの内側まで水が侵入することはない。
【００１８】
＜４．２＞差し込みピンによる固定（図１）
さらに、図１では、基部１０の上部に差し込み穴１４、可動部２０にピン２１を設けている。使用状態のヘルメットとすべく、基部１０と可動部２０とを連結する際に、差し込み穴１４へとピン２１が差し込まれることで、両者を固定・一体化している。
【００１９】
＜５＞旋回部（図１，２）
旋回部３０とは、基部１０と可動部２０との間に介在させ、基部１０に対して可動部２０を離脱および回転させることにより、可動部２０を基部１０の下側へと潜りこませるための手段である。
旋回部３０は、互いに水平方向を軸方向として、所定長さだけ離隔した位置に平行に配した状態を呈する第１の回転軸３１および第２の回転軸３２で構成する。
本実施例では、板状の部材の一端に第１の回転軸３１、他端に第２の回転軸３２を設けた平行の二軸ヒンジからなる旋回部３０がヘルメット本体の側面に位置するように設けている。
以下、各回転軸の詳細について説明する。
【００２０】
＜５．１＞第１の回転軸（図２）
第１の回転軸３１は、基部１０と可動部２０とが一体化されてヘルメット本体を構成している状態において、可動部２０を起立させつつさらに逆側まで倒伏させた状態とするための回転動作を実現するための部材である。
第１の回転軸３１は、可動部２０に連結し、基部１０とは直接固定されていない。
よって、第１の回転軸３１そのものが後述する第２の回転軸３２によって回転可能な状態を呈している。
【００２１】
＜５．２＞第２の回転軸（図２）
第２の回転軸３２は、第１の回転軸３１でもって基部１０から取り外した可動部２０をさらに回転させて、可動部２０の一部または全部を、基部１０の下側から基部１０の内部へと潜りこませるための部材である。
第２の回転軸３２は基部１０の上下方向の長さの略中央付近に連結してあり、旋回させた第１の回転軸３１が、基部１０の上縁近傍または下縁近傍に位置するよう構成してある。
よって、本実施例では、第１の回転軸３１と第２の回転軸３２との間の離隔距離が基部１０の上下長の約半分の長さとなっており、第２の回転軸３２が基部１０の上下方向における略中間位置に取り付けた状態を呈している。
【００２２】
＜６＞基部と可動部との固定（回転フック）（図１，３）
本実施例では、基部１０について、旋回部３０を設けた側面の反対側の側面に、可動部２０のシェルに設けた被係合部２２へと係合可能な回転フック４０を設けている。
この回転フック４０による係合を解除しない限り、可動部２０の旋回動作を行うことはできない。
【００２３】
＜６．１＞回転フックおよびピンによる可動部の位置ズレ阻止（図１）
前記の通り、回転フック４０は、ヘルメット本体の外側から基部１０と可動部２０とを係合固定している。
一方、前記したように、可動部２０に設けたピン２１は、ヘルメット本体の内周面近傍で基部１０と可動部２０とを連結固定している。
すなわち、可動部２０の下縁は、回転フック４０と基部１０の凸部１２で挟み込まれた状態となる。
よって、上記の連結態様によれば、可動部に生じる押圧力による、基部１０に対する可動部２０の内外周側へのズレをおさえ、ひいては可動部の下縁が開いて基部の外周面へと沈み込むことを防止することができる。
【００２４】
＜７＞使用イメージ（図１，４，５）
本実施例に係る旋回式ヘルメットの使用イメージについて説明する。
なお、本発明において、各回転軸の回転角度や動作手順は、下記の例に限定されるものではない。
【００２５】
＜７．１＞第１の回転軸による可動部の倒伏動作（図１）
まず、基部１０と可動部２０とを固定している回転フック４０による係合を解除してから、第１の回転軸３１でもって可動部２０を回転させ、基部１０の側方で可動部２０が倒伏した状態とする。
【００２６】
＜７．２＞第２の回転軸による可動部の回転動作（図４）
次に、第２の回転軸３２でもって、第１の回転軸３１および可動部２０を略１８０°回転させる。この回転動作により、可動部２０は、基部１０と一体化された状態と同じ姿勢（非反転状態）を維持したまま、基部１０の下側から潜りこんだ状態となる。
【００２７】
＜７．３＞旋回前後の対比図（図５）
図５に示すように、可動部２０の旋回後は、基部１０の底部と、可動部２０の底部の高さがほぼ揃った状態となり、可動部２０の天頂部分が基部１０の内部に収容されて、あたかも基部１０と可動部２０の上下関係が入れ換わった状態で積層した形態を呈している。
このとき、可動部２０の天頂部分が基部１０の内部に収容された状態となり、ヘルメット全体の高さが圧縮されてコンパクトとなり、ヘルメット全体の容積が減少することとなる。
【００２８】
＜７．４＞まとめ
このように、本発明においては、第１の回転軸３１による回転動作と、第２の回転軸３２による回転動作を順次もしくは並行して実施することにより、基部１０と可動部２０の上下を入れ換えた状態で、可動部の一部または全部を基部１０の内部に収容することができる。
【符号の説明】
【００２９】
１０  基部
１１  凹部
１２  凸部
１３  段差
１４  差し込み穴
２０  可動部
２１  ピン
２２  被係合部
３０  旋回部
３１  第１の回転軸
３２  第２の回転軸
４０  回転フック
【図１】
2018115407.tif 000003
【図２】
2018115407.tif 000004
【図３】
2018115407.tif 000005
【図４】
2018115407.tif 000006
【図５】
2018115407.tif 000007